(57)【要約】【課題】商品の販売を簡単な手順で行うことができ、購入者の手間と販売者の処理負荷を軽減する。【解決手段】インターネット２０を介して販売者サーバ４０に接続された購入者端末３０から販売者サーバにアクセスして第一類医薬品を指定して購入できる商品販売システム１０である。販売者サーバ４０は、購入者端末３０に購入前チェックシート８３と使用上の注意事項８４とを一連の画面に表示したのち、販売の可否を判定するとともに、使用上の注意事項を前記購入者が了解しかつ購入者からの質問がないことを確認して販売手続を行う。【選択図】図３
2018124783.tif 000002
【特許請求の範囲】
【請求項１】
通信ネットワークを介して販売者サーバに接続された購入者端末から前記販売者サーバにアクセスして所望の商品を指定して購入するに際して、前記販売者サーバが、前記購入者端末に、購入を希望する商品の購入をする前提として必要な購入者情報の入力欄を表示して入力させる処理、前記販売者サーバが前記購入者端末から前記入力欄に入力された前記購入者情報に基づいて販売の可否を判定する処理、前記販売者サーバが前記購入者端末に前記商品の使用上の注意事項を提示する処理、及び前記販売者サーバにおいて、前記使用上の注意事項を購入者が了解し、かつ前記購入者からの質問がないことを確認する処理、を実行したのち前記商品の購入手続を開始する商品販売システムにおいて、
前記販売者サーバが、
前記購入者端末に前記購入者情報の前記入力欄と前記使用上の注意事項とを一連の画面に表示する処理を行った後、
前記販売者サーバにおいて前記購入者情報に基づいて販売の可否を判定する処理と、
前記使用上の注意事項を前記購入者が了解しかつ前記購入者からの質問がないことを確認する処理と、を行うことを特徴とする商品販売システム。
【請求項２】
前記商品が第一類医薬品であることを特徴とする請求項１に記載の商品販売システム。
【請求項３】
前記販売者サーバは、前記購入者情報に基づいて指定された商品の販売の可否を判定した結果、前記商品の販売ができない場合、前記購入者情報の前記入力欄に購入ができない旨、及び専門家との相談が必要である旨のうち少なくとも一方の表示を行うこと、を特徴とする請求項１又は請求項２に記載の商品販売システム。
【請求項４】
前記販売者サーバは、前記商品の選択から購入手続までの過程において、前記購入者端末が操作を中断し、その後処理を再開したとき、前記商品に関する購入手続がどの段階まで完了しているのかを表示すること、を特徴とする請求項１から請求項３までの何れか一項に記載の商品販売システム。
【請求項５】
前記販売者サーバは、前記購入者からの質問を受付可能な手段を前記販売者サーバの受付可能状態に応じて決定し、受付可能な手段を前記購入者端末に表示させること、を特徴とする請求項１から請求項４までの何れか一項に記載の商品販売システム。
【請求項６】
前記販売者サーバは、商品の選択に際して検索で抽出された商品が複数あるとき、前記購入者端末に抽出された商品の価格を含む商品情報を比較可能な状態に表示すること、を特徴とする請求項１から請求項５までの何れか一項に記載の商品販売システム。
【請求項７】
前記販売者サーバは、前記購入者情報の入力内容に基づいて前記購入者端末に表示する前記使用上の注意事項の表示項目を変更すること、を特徴とする請求項１から請求項６までの何れか一項に記載の商品販売システム。
【発明の詳細な説明】
【技術分野】
【０００１】
本発明は、販売者からの確認が必要な商品をネット通販する販売システムに関する。
【背景技術】
【０００２】
医薬品のうち副作用等により日常生活に支障を来す程度の健康被害が生ずるおそれがあるものは、第一類医薬品に指定されている。この第一類医薬品は、販売に先立って有資格者が購入者の提供する情報を取得するとともに、書面による当該医薬品に関する説明を行う必要がある。
【０００３】
また、近年インターネットの普及に伴い、販売サイトにアクセスして注文を行い、指定した商品を宅配で受け取るインターネット通販が広く普及し、第一類医薬品を含む医薬品についてもインターネット通販が行われている。
【０００４】
従来インターネット販売により、第一類医薬品を販売するに際しては、以下の手順により上述した条件を満足した販売を行っている。図１１は第一類医薬品を販売する従来の商品販売システムにおける処理の一例を示すフローチャートである。
【０００５】
まず、購入者は購入者端末からインターネットを介して医薬品販売者の販売者サーバに接続する。すると、購入者端末には販売用のホームページの検索画面が表示でき、購入者は検索画面において商品を検索する（ステップＳ１）。
【０００６】
次に、購入者端末には、検索された１又は複数の商品を表示する検索結果画面が表示され、購入者はこの検索結果画面から購入する商品を選択する（ステップＳ２）。すると、購入者端末には商品詳細を説明する画面が表示される（ステップＳ３）。この画面から購入者が商品の購入するためカートに入れると、購入者端末には当該商品が購入対象としたカート画面が表示される（ステップＳ４）。
【０００７】
そして、購入前チェックシートが表示される（ステップＳ５）。購入前チェックシートには、購入者が過去の使用歴、副作用の有無、年齢、性別等の情報が入力される（ステップＳ５）。チェックシートについての回答がなされる（ステップＳ６）とこの回答について専門家による判定がなされ（ステップＳ７）、販売に問題がないとされた場合（ステップＳ７
の問題なし）、当該医薬品の使用上の注意事項が表示され（ステップＳ８）、注意事項について質問があるかが確認される（ステップＳ９）。
【０００８】
購入者が注意事項について質問がないと回答した場合（ステップＳ９の質問なし）には、購入手続に進む（ステップＳ１０）。この注意事項に対して質問がある場合（ステップＳ９の質問あり）場合は、メールやチャットにより質問に回答がなされる（ステップＳ１１）。購入手続では、支払情報、配送先情報、配送日時情報等が指定されて、購入手続は終了する。
【０００９】
特許文献１には、インターネットを利用して医薬品を販売するシステムについて記載がある。即ち、特許文献１に記載の医薬品販売システムは、インターネットに接続された事業所の構成員が利用する構成員端末、事業所によって設置及び管理運営される事業所サーバと、医薬品を販売する販売会社によって設置及び管理運営される販売者サーバとから構成され、事業所サーバは、構成員端末から送出された構成員識別データに基づいて構成員を認証し、認証された構成員に対して斡旋販売される医薬品の販売医薬品情報を送出し、その後、事業所サーバは、構成員端末から送出された注文情報を販売期間を限定して受付け、販売期間経過後、注文情報を包括し、販売者サーバに送出して医薬品を販売する。
【先行技術文献】
【特許文献】
【００１０】
【特許文献１】特開２００５-１００３２４号公報
【発明の概要】
【発明が解決しようとする課題】
【００１１】
しかし、従来の商品品販売システムにあっては、購入までの手順が購入者にとって煩雑であるという問題がある。購入までの手順を簡単なものとすれば、購入者にとっても販売者にとってもメリットがある。
【００１２】
本発明は上述した課題に鑑みてなされたものであり、商品の販売を簡単な手順で行うことができ、購入者の手間と販売者の処理負荷を軽減することができる商品品販売システムを提供することを目的とする。
【課題を解決するための手段】
【００１３】
前記課題を解決する請求項１に記載の発明は、通信ネットワークを介して販売者サーバに接続された購入者端末から前記販売者サーバにアクセスして所望の商品を指定して購入するに際して、前記販売者サーバが、前記購入者端末に、購入を希望する商品の購入をする前提として必要な購入者情報の入力欄を表示して入力させる処理、前記販売者サーバが前記購入者端末から前記入力欄に入力された前記購入者情報に基づいて販売の可否を判定する処理、前記販売者サーバが前記購入者端末に前記商品の使用上の注意事項を提示する処理、及び前記販売者サーバにおいて、前記使用上の注意事項を購入者が了解し、かつ前記購入者からの質問がないことを確認する処理、を実行したのち前記商品の購入手続を開始する商品販売システムにおいて、前記販売者サーバが、前記購入者端末に前記購入者情報の前記入力欄と前記使用上の注意事項とを一連の画面に表示する処理を行った後、前記販売者サーバにおいて前記購入者情報に基づいて販売の可否を判定する処理と、前記使用上の注意事項を前記購入者が了解しかつ前記購入者からの質問がないことを確認する処理と、を行うことを特徴とする商品販売システムである。
本発明によれば、販売者サーバは、購入者端末に購入者情報の入力欄と使用上の注意事項とを一連の画面に表示させたのち、販売者サーバにおいて購入者情報に基づいて販売の可否を判定する処理と、使用上の注意事項を前記購入者が了解しかつ前記購入者からの質問がないことを確認する処理とを行う。
よって、購入者情報の入力欄の判定後に使用上の注意事項の表示をする手順に比べて処理数を少なくでき、購入者の手間と販売者の処理負荷を軽減することができる。
【００１４】
同じく請求項２に記載の発明は、前記商品が第一類医薬品であることを特徴とする。
本発明によれば、第一類医薬品を商品として商品販売システムを適用する。
よって、第一類医薬品を、インターネット通信で販売するに際して、購入者の手間と販売者の処理負荷を軽減することができる。
【００１５】
同じく請求項３に記載の発明は、前記販売者サーバは、前記購入者情報に基づいて指定された商品の販売の可否を判定した結果、前記商品の販売ができない場合、前記購入者情報の前記入力欄に購入ができない旨、及び専門家との相談が必要である旨のうち少なくとも一方の表示を行うこと、を特徴とする請求項１又は請求項２に記載の商品販売システム。
本発明によれば、購入者情報に基づいて販売の可否を判定した結果、販売ができない場合、購入者情報の入力欄に購入ができない旨や専門家との相談が必要である旨の表示を行う。
よって、早いタイミングで購入者に販売ができない旨や、相談が必要である旨を提示でき、購入者の手間を省くことができる。
【００１６】
同じく請求項４に記載の発明は、前記販売者サーバは、前記商品の選択から購入手続までの過程において、前記購入者端末が操作を中断し、その後処理を再開したとき、前記商品に関する購入手続がどの段階まで完了しているのかを表示すること、を特徴とする。
本発明によれば、購入者による操作が中断した場合であって処理を再開したとき、購入手続の状態を表示する。
よって、購入者は自己の購入の状態を正確に把握することができる。
【００１７】
同じく請求項５に記載の発明は、前記販売者サーバは、商品の選択に際して検索で抽出された商品が複数あるとき、前記購入者端末に抽出された商品の価格を含む商品情報を比較可能な状態に表示すること、を特徴とする。
本発明によれば、記購入者からの質問を受付可能な手段を販売者サーバの受付可能状態に応じて決定し購入者からの受付が可能な手段を表示する。
よって、購入者は販売者サーバにおいて受付が可能な手段を容易に認識できる。
【００１８】
同じく請求項６に記載の発明は、前記販売者サーバは、前記販売者サーバは、商品の選択に際して検索で抽出された商品が複数あるとき、前記購入者端末に抽出された商品の価格を含む商品情報を比較可能な状態に表示すること、を特徴とする。
本発明によれば、商品の選択に際して検索で抽出された商品が複数あるとき、購入者端末には、抽出された商品の価格を含む商品情報を比較可能な状態に表示される。
よって、購入者端末では抽出された複数の商品を容易に比較できる。
【００１９】
同じく請求項７に記載の発明は、前記販売者サーバは、前記購入者情報の入力内容に基づいて前記購入者端末に表示する前記使用上の注意事項の表示項目を変更すること、を特徴とする。
本発明によれば、購入者端末には、購入者情報の入力内容に基づいて変更された項目の使用上の注意事項が表示される。
よって、購入者端末では使用上の注意事項のうち当該購入者には必要がない項目については表示されず、購入処理を迅速に行うことができる。
【発明の効果】
【００２０】
本発明に係る商品販売システムによれば、商品の販売を簡単な手順で行うことができ、購入者の手間と販売者の処理負荷を軽減することができる。
【００２１】
即ち、請求項１に記載の商品販売システムによれば、販売者サーバは、購入者端末に購入者情報の入力欄と使用上の注意事項とを一連の画面に表示させたのち、販売者サーバにおいて購入者情報に基づいて販売の可否を判定する処理と、使用上の注意事項を前記購入者が了解しかつ前記購入者からの質問がないことを確認する処理と、を行うので、購入者情報の入力欄の判定後に使用上の注意事項の表示をする手順に比べて処理数を少なくでき、購入者の手間と販売者の処理負荷を軽減することができる。
【００２２】
また、請求項２に記載の商品販売システムによれば、第一類医薬品を商品として商品販売システムを適用することができ、第一類医薬品を、インターネット通信で販売するに際して、購入者の手間と販売者の処理負荷を軽減することができる。
【００２３】
また、請求項３に記載の商品販売システムによれば、購入者情報に基づいて販売の可否を判定した結果、販売ができない場合、購入者情報の入力欄に購入ができない旨や専門家との相談が必要である旨の表示を行うので、早いタイミングで購入者に販売ができない旨や、相談が必要である旨を提示でき、購入者の手間を省くことができる。
【００２４】
また、請求項４に記載の商品販売システムによれば、購入者による操作が中断した場合であって処理を再開したとき、購入手続の状態を表示するので、購入者は自己の購入の状態を正確に把握することができる。
【００２５】
また、請求項５に記載の商品販売システムによれば、購入者からの質問を受付可能な手段を販売者サーバの受付可能状態に応じて決定し購入者からの受付が可能な手段を表示するので、購入者は販売者サーバにおいて受付が可能な手段を容易に認識できる。
【００２６】
更に、請求項６に記載の商品販売システムによれば、商品の選択に際して検索で抽出された商品が複数あるとき、購入者端末には、抽出された商品の価格を含む商品情報を比較可能な状態に表示されるので、購入者端末では抽出された複数の商品を容易に比較できる。
【００２７】
そして、請求項７に記載の商品販売システムによれば、購入者端末には、購入者情報の入力内容に基づいて変更された項目の使用上の注意事項が表示されるので、購入者端末では使用上の注意事項のうち当該購入者には必要がない項目については表示されず、購入処理を迅速に行うことができる。
【図面の簡単な説明】
【００２８】
【図１】本発明の実施形態に係る商品販売システムの全体構成を示すブロック図である。
【図２】同商品販売システムの販売者サーバの構成を示すブロック図である。
【図３】同商品販売システムの動作例を示すフローチャートである。
【図４】同商品販売システムの動作手順を示すものであり、（ａ）は質問可能手段を提示する手順を示すフローチャート、（ｂ）はチェックシートの記載事項に基づいて使用上の注意事項を変更する処理を示すフローチャート、（ｃ）はステータスの保持処理を示すフローチャートである。
【図５】同商品販売システムにおける購入者端末のショッピングカート画面を示す図である。
【図６】同商品販売システムの購入者端末に連続して表示される購入前チェックシートと使用上の注意事項とを示す図である。
【図７】同商品販売システムにおける購入者端末の購入前チェックシートの表示例を示すものであり、（ａ）は入力画面を示す図、（ｂ）は一部を入力した状態で購入できない旨の表示がされた状態を示す図である。
【図８】同商品販売システムにおける購入前チェックシートの確認画面における質問可能手段の記載を示すものであり、（ａ）は専門家が即時対応可でありメールとチャットで質問できる状態を示す図、（ｂ）は専門家が即時対応不可でありメールで質問できる状態を示す図、（ｃ）は専門家への質問フォーム示す図である。
【図９】同商品販売システムにおける購入者端末の商品比較画面を示す図である。
【図１０】同商品販売システムにおける回答された購入者チェックシートに対応して変更された使用上の注意事項を示す図である。
【図１１】第一類医薬品を販売する従来の商品販売システムにおける処理の一例を示すフローチャートである。
【発明を実施するための形態】
【００２９】
本発明を実施するための形態に係る商品販売システムについて説明する。本実施形態では商品として第一類医薬品を販売するものを例として説明する。なお、本発明において販売する商品は第一類医薬品に限ることなく、同様の手順で販売される他の商品にも適用できる。
【００３０】
図１は本発明の実施形態に係る商品販売システムの全体構成を示すブロック図である。商品販売システム１０は、通信ネットワークであるインターネット２０により、複数の購入者端末３０を販売者サーバ４０に接続している。購入者端末３０は第一類医薬品を購入する個人が使用するものである。また、販売者サーバ４０は医薬品の販売業者７０が管理しており、販売者サーバ４０には、薬剤師等の専門家が回答を行うための専門家回答手段６０が接続されている。
【００３１】
購入者端末３０は、制御装置としてＣＰＵ(Central Processing Unit)、主記憶装置としてＲＡＭ（RandomAccess Memory）、ＲＯＭ（Read Only Memory）、補助記憶装置としてＨＤＤ（Hard Disc Drive）、ＳＳＤ（Solid state Drive）等を備えたパーソナルコンピュータ、スマートフォン、タブレット型端末等で構成される。購入者端末３０は制御装置でウェブブラウザ等のアプリケーションソフトを実行し、インターネット２０を経由して販売者サーバ４０にアクセスして商品販売システムの販売ページを表示し、操作する。
【００３２】
販売者サーバ４０は、制御装置としてＣＰＵ(Central Processing Unit)、主記憶装置としてＲＡＭ（RandomAccess Memory）、ＲＯＭ（Read Only Memory）、補助記憶装置としてＨＤＤ（Hard Disc Drive）、ＳＳＤ（Solid state Drive）等を備えたパーソナルコンピュータ、サーバ装置で構成されている。販売者サーバ４０の制御部でアプリケーションソフトウエアを実行することにより、後述する各部の機能を実現する。
【００３３】
また、専門家回答手段６０は同様の構成と、キーボード、マウス、ディスプレイを備えたパーソナルコンピュータで構成されている。専門家回答手段６０は専門家が操作することで、後述する各種の承認、メールやチャットにより販売者サーバ４０を介して購入者端末３０とのやりとりができる。専門家回答手段６０では、専門家が購入前チェックシートの記載、使用上の注意事項の確認の有無、質問の内容に応じて販売の可否を決定して販売者サーバ４０に伝える。
【００３４】
次に、販売者サーバ４０の構成について説明する。図２は同商品販売システムの販売者サーバの構成を示すブロック図である。販売者サーバ４０は商品データベース４１、商品検索手段４２、詳細表示データベース４３、インターネット接続手段４４、ショッピングカート表示手段４５、購入前チェックシート及び使用上の注意事項表示手段４６、回答質問受付手段４７、専門家接続インターフェース４８、商品比較表示手段４９、ステータス保持手段５０、及び制御部５１を備える。
【００３５】
商品データベース４１は、販売している商品、本例では第一類医薬品の基本データ、収納箱、錠剤形態等のデータを格納している。商品検索手段４２は、購入者端末３０から入力されたキーワードにマッチする商品を商品データベース４１から抽出して出力する。詳細表示データベース４３は、商品データベース４１が格納している商品についての詳細表示用データを格納している。インターネット接続手段４４は、販売者サーバ４０とインターネット２０とを接続する。ショッピングカート表示手段４５は購入者端末３０で購入された商品を集計してショッピングカート画面に表示する。
【００３６】
購入前チェックシート及び使用上の注意事項表示手段４６は、購入者端末３０に購入者情報である購入前チェックシートの入力欄と使用上の注意事項とを表示する一連の画面を生成する。回答質問受付手段４７は、購入者からの質問を受付可能な手段を販売者サーバ４０の受付可能状態に応じて決定し、受付可能な手段を購入者端末３０に表示させる。即ち、専門家回答手段６０における専門家の待機状態に応じて購入者からの質問を受付可能な手段が、メールだけであるか、メール及びチャットであるかを決定し、この状態を購入者端末３０に表示する。
【００３７】
専門家接続インターフェース４８は、販売者サーバ４０と専門家回答手段６０とを接続する。商品比較表示手段４９は、購入者端末３０から検索で抽出された商品が複数あるとき、購入者端末に抽出された商品の価格を含む商品情報を比較可能な状態に表示する。また、購入者端末３０が指定した任意の商品の比較画面を生成する。比較のためのデータは、商品データベース４１及び詳細表示データベース４３から取得する。
【００３８】
ステータス保持手段５０は、商品の選択から購入手続までの過程において、購入者端末３０が操作を中断し、その後処理を再開したとき、商品に関する購入手続がどの段階まで完了しているのかを表示する。本例では、ショッピングカート表示画面に購買ステータスを表示する。制御部５１は販売者サーバ４０の各処理部（４１〜５０）を所定の手順で動作させる。
【００３９】
次に商品販売システム１０の処理について説明する。図３は同商品販売システムの動作例を示すフローチャート、図４は同商品販売システムの動作手順を示すものであり、（ａ）は質問可能手段を提示する手順を示すフローチャート、（ｂ）はチェックシートの記載事項に基づいて使用上の注意事項を変更する処理を示すフローチャート、（ｃ）はステータスの保持処理を示すフローチャートである。また、図５は同商品販売システムにおける購入者端末のショッピングカート画面を示す図、図６は同商品販売システムの購入者端末に連続して表示される購入前チェックシートと使用上の注意事項とを示す図である。
【００４０】
まず、購入者は購入者端末３０からインターネットを介して医薬品販売者である販売業者７０が管理する販売者サーバ４０に接続する。購買者は、販売者サーバ４０が提供する販売ホームページにおいて購入を希望する商品を選択して購入手続を行う。通常、購入者端末３０から販売者サーバ４０にアクセスすると、購入者端末３０の表示画面には販売者サーバ４０が送出する販売ホームページの検索画面が表示される。これにより、購入者は購入者端末３０の検索画面において所望の商品を検索できる（ステップＳＡ１）。
【００４１】
検索が実行されると、購入者端末３０には、商品検索手段４２は商品データベース４１を検索し、抽出された１又は複数の商品を検索結果として購入者端末３０の表示画面に表示する。購入者は、この検索結果画面から購入する商品を選択する（ステップＳＡ２）。商品が選択されると、販売者サーバ４０の制御部５１は、詳細表示データベース４３から商品の詳細を抽出して、購入者端末３０の表示画面に商品詳細を説明する表示する（ステップＳＡ３）。この画面から購入者が商品の購入するため指定すると、ショッピングカート表示手段４５は、図５に示すように、購入者端末に当該商品が購入対象としたショッピングカート画面８１を表示する（ステップＳＡ４）。このショッピングカート画面８１には、商品を特定する情報と、商品の購買ステータス８２とが表示される。この例では、商品について、問診（購入前チェックシートと使用上の注意事項）に未返答であることを表示している。
【００４２】
そして、ショッピングカート画面８１において、「購入する」を選択すると、購入前チェックシート及び注意事項表示手段４６は、図６に示すように、購入者端末３０の表示画面８０に、購入前チェックシート８３と、使用上の注意事項８４とを一連に表示する（ステップＳＡ５）。購入者端末３０において、購入前チェックシート８３と注意事項８４とは画面をスクロールすることで一度に表示できる。これにより、購入前チェックシートと使用上の注意事項を、個別に表示をするのに比べて処理数を少なくでき、購入者の手間と販売者の処理負荷を軽減することができる。なお、購入者情報を確認した後に使用上の注意事項の提示を行わなくてはいけないと言う法的規制はない。
【００４３】
購入者は、購入者端末３０から購入前チェックシート８３に、購入者が過去の使用歴、副作用の有無、年齢、性別等の情報を入力し、購入前チェックシート８３の所定欄に使用上の注意事項を承諾した旨の確認をする。また、必要により質問事項を記入する（ステップＳＡ６）。販売者サーバ４０では、購入前チェックシート及び使用上の注意事項についての回答等がなされると、回答質問受付手段４７でこれを受付け、専門家接続インターフェース４８を介して専門家回答手段６０に送出する。専門家回答手段６０では、まず、購入前チェックシート８３の回答について専門家による判定がなされ（ステップＳＡ７）、この判断を前提として販売がなされる。
【００４４】
専門家回答手段６０において、販売に問題がないとされた場合（ステップＳＡ７の問題なし）の場合、さらに、専門家回答手段６０において、使用上の注意事項８４を了解して確認されたこと及び質問事項がないことを確認して（ステップＳＡ８の確認あり、質問なし）、購買手続に進む（ステップＳＡ９）。購入手続では、支払情報、配送先情報、配送日時情報等が指定されて、購入手続を開始する。
【００４５】
本実施形態に係る商品販売システム１０では、購入前チェックシート８３の確認により、専門家回答手段６０において問題ありとされた場合（ステップＳＡ７の問題あり）、購入前チェックシート８３に直ちに商品の購入ができない旨が表示される。図７は同商品販売システムにおける購入者端末の購入前チェックシートの表示例を示すものであり、（ａ）は入力画面を示す図、（ｂ）は一部を入力した状態で購入できない旨の表示がされた状態を示す図である。即ち、図７（ａ）に示すように回答前の購入前チェックシート８３は、図７（ｂ）に示すように、当該商品の使用ができない旨の表示８５がなされる（ステップＳＡ１０）。この例では、男性用の医薬品について女性が使用する、としたため、使用ができないとされた。これにより、早いタイミングで購入者に販売ができない旨や、相談が必要である旨を提示でき、購入者の手間を省くことができる。
【００４６】
この場合購入者は購入者端末３０から入力欄からのメール又はチャットで専門家に問い合わせることができる（ステップＳＡ１１）。この問い合わせについて専門家が対応してあらためて相談を行い（ステップＳＡ１２）、問題がなければ（ステップＳＡ１２の問題なし）、ステップＳＡ８に進み更に、購入手続に進む（ステップＳＡ９）。問い合わせや相談について、専門家が問題ありと判定したとき（ステップＳＡ１２の問題あり）商品は販売されず、検索画面（ステップＳＡ１）に戻る。
【００４７】
使用上の注意事項を提示して、質問事項があったとき（ステップＳ８の質問あり）、専門家が専門家回答手段６０から回答を行う（ステップＳＡ１３）。そして、チェックシート回答入力、使用上の注意事項確認、質問入力（ステップＳＡ６）に戻る。
【００４８】
ここで、購入者端末３０からの質問を行う手順について説明する。本実施形態に係る商品販売システム１０において、質問は問い合わせフォームに記載することにより後に回答されるメール、又はリアルタイムで対応できるチャットで対応する。図４（ａ）は質問可能手段を提示する手順を示すフローチャート、図８は同商品販売システムにおける購入前チェックシートの確認画面における質問可能手段の記載を示すものであり、（ａ）は専門家が即時対応可でありメールとチャットで質問できる状態を示す図、（ｂ）は専門家が即時対応不可でありメールで質問できる状態を示す図、（ｃ）は専門家への質問フォーム示す図である。
【００４９】
図４（ａ）に示すように、質問画面が表示された状態（ステップＳＢ１）で、専門家回答手段６０において、担当する専門家が在席しているかが判定される（ステップＳＢ２）。専門家回答手段６０で回答できる状態、即ち専門家がその場で対応できる場合（ステップＳＢのＹｅｓ）時はメール及びチャットで対応し（ステップＳＢ４）、専門家が不在のときには専門家が対応可能となったときメールで回答する（ステップＳＢ５）。本実施形態に係る商品販売システム１０では、購入者端末３０の表示画面８０において、図８に示すように、どの手段で対応が可能であるかを表示する（ステップＳＢ６）。
【００５０】
専門家が在席し、メール及びチャットの両方で対応できるときには、図８（ａ）に示すように、購入前チェックシートの確認画面８６において、その旨の表示８７を行う。一方、専門家が不在であり、メールで対応する場合には、図８（ｂ）に示すように、メールで等位合わせるための表示８９及びチャットができない旨９０が表示される。メールで問い合わせる旨の表示を選択すると、図８（ｃ）に示すように、問い合わせ画面９１に問い合わせ入力欄９２が表示される。これにより、購入者は、質問を受付可能な手段として、チャットが使用できるかどうかを容易に認識できる。これにより、購入者は販売者サーバにおいて受付が可能な手段を容易に認識できる。
【００５１】
また、本実施形態に係る商品販売システム１０では、検索した結果や選択した複数の商品を比較することができる。図９は同商品販売システムにおける購入者端末の商品比較画面を示す図である。図９に示すように、商品「解熱鎮痛薬Ａ」を検索した結果、２つの商品「解熱鎮痛薬Ａ」と「解熱鎮痛薬ＡＣ」とが抽出されたとする。この場合、商品比較表示手段４９により購入者端末３０の表示画面８０に商品比較画面９４が表示される。商品比較画面９４には、「解熱鎮痛薬Ａ」の説明欄９５と、「解熱鎮痛薬ＡＣ」の説明欄９６とが比較可能に表示される。これにより、購入者は、抽出された商品の価格を含む商品情報を比較可能となる。
よって、購入者端末では抽出された複数の商品を容易に比較できる。
【００５２】
更に、本実施形態に係る商品販売システム１０では、購入者情報である購入前チェックシートの入力内容に基づいて購入者端末に表示する使用上の注意事項の表示項目を変更する。この処理は、回答質問受付手段４７が取得した購入前チェックシートの回答結果に基づいて購入前チェックシート及び使用上の注意事項表示手段４６が行う。図４（ｂ）はチェックシートの記載事項に基づいて使用上の注意事項を変更する処理を示すフローチャート、図１０は同商品販売システムにおける回答された購入者チェックシートに対応して変更された使用上の注意事項を示す図である。
【００５３】
図４（ｂ）に示すように、購入前チェックシート８３に記入がなされる（ステップＳＣ１）と、販売者サーバ４０は、特定の項目に記載があるかを確認する（ステップＳＣ２）。図１０に示すように購入前チェックシート９７の特定の項目に特定の回答がなされている場合（ステップＳＣ２のＹｅｓ）、当該項目に関する使用上の注意事項を不要として使用上の注意事項９８の記載事項を変更して（ステップＳＣ３）表示する（ステップＳＣ４）。一方、特定の項目に特定の回答がされていない場合（ステップＳＣ２のＮｏ）、使用上の注意事項をそのままとして表示する（ステップＳＣ４）。
【００５４】
このような処理は、例えば購入前チェックシートで使用者が男性である場合、妊娠に関する注意事項を表示しない等する場合に発生する。これにより、購入者端末では使用上の注意事項のうち当該購入者には必要がない項目については表示されず、購入処理
【００５５】
更に、本実施形態に係る商品販売システム１０では、商品の選択から購入手続までの過程において、購入者端末が操作を中断し、その後処理を再開したとき、前記商品に関する購入手続がどの段階まで完了しているかのステータスを表示する。図４（ｃ）はステータスの保持処理を示すフローチャートである。
【００５６】
購入手続中に処理が中断されると（ステップＳＤ１のＹｅｓ）、ステータス保持手段５０に購入の処理状態が保存される（ステップＳＤ２）。そして、購入手続が再開されると（ステップＳＤ３のＹｅｓ）、ステータス保持手段５０から処理状態が読み出され、例えばショッピングカートの表示画面中にステータスが表示される。本例では、図５に示すように、ショッピングカート画面８１中に購買ステータス８２を表示している。この例では、購入前チェックシート及び使用上の注意事項を表示した段階での回答がない「問診等未返答状態」が表示され、購入手続をこの段階から再開できることがわかる。
【産業上の利用可能性】
【００５７】
本発明に係る商品販売システムは、商品の販売を簡単な手順で行うことができ、購入者の手間と販売者の処理負荷を軽減することができ、産業上の利用可能性を有する。
【符号の説明】
【００５８】
１０：商品販売システム
２０：インターネット
３０：購入者端末
４０：販売者サーバ
４１：商品データベース
４２：商品検索手段
４３：詳細表示データベース
４４：インターネット接続手段
４５：ショッピングカート表示手段
４６：注意事項表示手段
４７：回答質問受付手段
４８：専門家接続インターフェース
４９：商品比較表示手段
５０：ステータス保持手段
５１：制御部
６０：専門家回答手段
７０：販売業者
【図１】
2018124783.tif 000003
【図２】
2018124783.tif 000004
【図３】
2018124783.tif 000005
【図４】
2018124783.tif 000006
【図５】
2018124783.tif 000007
【図６】
2018124783.tif 000008
【図７】
2018124783.tif 000009
【図８】
2018124783.tif 000010
【図９】
2018124783.tif 000011
【図１０】
2018124783.tif 000012
【図１１】
2018124783.tif 000013
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
通信ネットワークを介して販売者サーバに接続された購入者端末から前記販売者サーバにアクセスして所望の商品を指定して購入するに際して、前記販売者サーバが、前記購入者端末に、購入を希望する商品の購入をする前提として必要な購入者情報の入力欄を表示して入力させる処理、前記販売者サーバが前記購入者端末から前記入力欄に入力された前記購入者情報に基づいて販売の可否を判定する処理、前記販売者サーバが前記購入者端末に前記商品の使用上の注意事項を提示する処理、及び前記販売者サーバにおいて、前記使用上の注意事項を購入者が了解し、かつ前記購入者からの質問がないことを確認する処理、を実行したのち前記商品の購入手続を開始する商品販売システムにおいて、
前記販売者サーバが、前記購入者端末に前記購入者情報の前記入力欄と前記使用上の注意事項とを前記購入者端末でのスクロール操作により一度で表示できる一連の画面に表示する処理を行った後、前記販売者サーバにおいて前記購入者情報に基づいて販売の可否を判定する処理と、前記使用上の注意事項を前記購入者が了解しかつ前記購入者からの質問がないことを確認する処理と、
前記質問があったとき前記質問に対してメール又はチャットにより前記購入者端末に対して回答する処理と、を行うことを特徴とする商品販売システム。
【請求項２】
前記商品が第一類医薬品であることを特徴とする請求項１に記載の商品販売システム。
【請求項３】
前記販売者サーバは、前記購入者情報に基づいて指定された商品の販売の可否を判定した結果、前記商品の販売ができない場合、前記購入者情報の前記入力欄に購入ができない旨、及び専門家との相談が必要である旨のうち少なくとも一方の表示を行うこと、を特徴とする請求項１又は請求項２に記載の商品販売システム。
【請求項４】
前記販売者サーバは、前記商品の選択から購入手続までの過程において、前記購入者端末が操作を中断し、その後処理を再開したとき、前記商品に関する購入手続がどの段階まで完了しているのかを表示すること、を特徴とする請求項１から請求項３までの何れか一項に記載の商品販売システム。
【請求項５】
前記販売者サーバは、前記購入者からの質問を受付可能な手段を前記販売者サーバの受付可能状態に応じて決定し、受付可能な手段を前記購入者端末に表示させること、を特徴とする請求項１から請求項４までの何れか一項に記載の商品販売システム。
【請求項６】
前記販売者サーバは、商品の選択に際して検索で抽出された商品が複数あるとき、前記購入者端末に抽出された商品の価格を含む商品情報を比較可能な状態に表示すること、を特徴とする請求項１から請求項５までの何れか一項に記載の商品販売システム。
【請求項７】
前記販売者サーバは、前記購入者情報の入力内容に基づいて前記購入者端末に表示する前記使用上の注意事項の表示項目を変更すること、を特徴とする請求項１から請求項６までの何れか一項に記載の商品販売システム。
【手続補正２】
【補正対象書類名】明細書
【補正対象項目名】００１３
【補正方法】変更
【補正の内容】
【００１３】
前記課題を解決する請求項１に記載の発明は、通信ネットワークを介して販売者サーバに接続された購入者端末から前記販売者サーバにアクセスして所望の商品を指定して購入するに際して、前記販売者サーバが、前記購入者端末に、購入を希望する商品の購入をする前提として必要な購入者情報の入力欄を表示して入力させる処理、前記販売者サーバが前記購入者端末から前記入力欄に入力された前記購入者情報に基づいて販売の可否を判定する処理、前記販売者サーバが前記購入者端末に前記商品の使用上の注意事項を提示する処理、及び前記販売者サーバにおいて、前記使用上の注意事項を購入者が了解し、かつ前記購入者からの質問がないことを確認する処理、を実行したのち前記商品の購入手続を開始する商品販売システムにおいて、前記販売者サーバが、前記購入者端末に前記購入者情報の前記入力欄と前記使用上の注意事項とを前記購入者端末でのスクロール操作により一度で表示できる一連の画面に表示する処理を行った後、前記販売者サーバにおいて前記購入者情報に基づいて販売の可否を判定する処理と、前記使用上の注意事項を前記購入者が了解しかつ前記購入者からの質問がないことを確認する処理と、前記質問があったとき前記質問に対してメール又はチャットにより前記購入者端末に対して回答する処理と、を行うことを特徴とする商品販売システムである。
本発明によれば、販売者サーバは、購入者端末に購入者情報の入力欄と使用上の注意事項とを前記購入者端末でのスクロール操作により一度で表示できる一連の画面に表示させたのち、販売者サーバにおいて購入者情報に基づいて販売の可否を判定する処理と、使用上の注意事項を前記購入者が了解しかつ前記購入者からの質問がないことを確認する処理とを行う。
よって、購入者情報の入力欄の判定後に使用上の注意事項の表示をする手順に比べて処理数を少なくでき、購入者の手間と販売者の処理負荷を軽減することができる。
また、販売者サーバは、前記質問があったとき前記質問に対してメール又はチャットにより前記購入者端末に対して回答するので、専門家が不在である場合でも対処ができる。
【手続補正３】
【補正対象書類名】明細書
【補正対象項目名】００２１
【補正方法】変更
【補正の内容】
【００２１】
即ち、請求項１に記載の商品販売システムによれば、販売者サーバは、購入者端末に購入者情報の入力欄と使用上の注意事項とを一連の画面に表示させたのち、販売者サーバにおいて購入者情報に基づいて販売の可否を判定する処理と、使用上の注意事項を前記購入者が了解しかつ前記購入者からの質問がないことを確認する処理と、を行うので、購入者情報の入力欄の判定後に使用上の注意事項の表示をする手順に比べて処理数を少なくでき、購入者の手間と販売者の処理負荷を軽減することができる。
また、販売者サーバは、前記質問があったとき前記質問に対してメール又はチャットにより前記購入者端末に対して回答するので、専門家が不在である場合でも対処ができる。
【手続補正４】
【補正対象書類名】明細書
【補正対象項目名】００５０
【補正方法】変更
【補正の内容】
【００５０】
専門家が在席し、メール及びチャットの両方で対応できるときには、図８（ａ）に示すように、購入前チェックシートの確認画面８６において、その旨の表示８７を行う。一方、専門家が不在であり、メールで対応する場合には、図８（ｂ）に示すように、メールで問い合わせるための表示８９及びチャットができない旨９０が表示される。メールで問い合わせる旨の表示を選択すると、図８（ｃ）に示すように、問い合わせ画面９１に問い合わせ入力欄９２が表示される。これにより、購入者は、質問を受付可能な手段として、チャットが使用できるかどうかを容易に認識できる。これにより、購入者は販売者サーバにおいて受付が可能な手段を容易に認識できる。
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
通信ネットワークを介して販売者サーバに接続された購入者端末から前記販売者サーバにアクセスして所望の商品である第一類医薬品を指定して購入するに際して、前記販売者サーバが、前記購入者端末に、購入を希望する商品の購入をする前提として必要な購入者情報の入力欄を表示して入力させる処理、前記販売者サーバが前記購入者端末から前記入力欄に入力された前記購入者情報に基づいて販売の可否を判定する処理、前記販売者サーバが前記購入者端末に前記商品の使用上の注意事項を提示する処理、及び前記販売者サーバにおいて、前記使用上の注意事項を購入者が了解し、かつ前記購入者からの質問がないことを確認する処理、を実行したのち前記商品の購入手続を開始する商品販売システムにおいて、
前記販売者サーバが、前記購入者端末に前記購入者情報の前記入力欄と前記使用上の注意事項とを前記購入者端末でのスクロール操作により一度で表示できる一連の画面に表示する処理を行った後、前記販売者サーバにおいて前記購入者情報に基づいて販売の可否を判定する処理と、前記使用上の注意事項を前記購入者が了解しかつ前記購入者からの質問がないことを確認する処理と、
前記質問があったとき前記質問に対してメール又はチャットにより前記購入者端末に対して回答する処理と、を行い、
更に、前記販売者サーバは、前記購入者情報に基づいて指定された商品の販売の可否を判定した結果、前記商品の販売ができない場合、前記購入者情報の前記入力欄に購入ができない旨、及び専門家との相談が必要である旨のうち少なくとも一方の表示を行い、
更に、前記販売者サーバは、前記商品の選択から購入手続までの過程において、前記購入者端末が操作を中断し、その後処理を再開したとき、前記商品に関する購入手続がどの段階まで完了しているのかを表示すること、を特徴とする商品販売システム。
【請求項２】
前記販売者サーバは、前記購入者からの質問を受付可能な手段を前記販売者サーバの受付可能状態に応じて決定し、受付可能な手段を前記購入者端末に表示させること、を特徴とする請求項１に記載の商品販売システム。
【請求項３】
前記販売者サーバは、商品の選択に際して検索で抽出された商品が複数あるとき、前記購入者端末に抽出された商品の価格を含む商品情報を比較可能な状態に表示すること、を特徴とする請求項１に記載の商品販売システム。
【請求項４】
前記販売者サーバは、前記購入者情報の入力内容に基づいて前記購入者端末に表示する前記使用上の注意事項の表示項目を変更すること、を特徴とする請求項１に記載の商品販売システム。
【手続補正２】
【補正対象書類名】明細書
【補正対象項目名】全文
【補正方法】変更
【補正の内容】
【発明の詳細な説明】
【技術分野】
【０００１】
本発明は、販売者からの確認が必要な商品をネット通販する販売システムに関する。
【背景技術】
【０００２】
医薬品のうち副作用等により日常生活に支障を来す程度の健康被害が生ずるおそれがあるものは、第一類医薬品に指定されている。この第一類医薬品は、販売に先立って有資格者が購入者の提供する情報を取得するとともに、書面による当該医薬品に関する説明を行う必要がある。
【０００３】
また、近年インターネットの普及に伴い、販売サイトにアクセスして注文を行い、指定した商品を宅配で受け取るインターネット通販が広く普及し、第一類医薬品を含む医薬品についてもインターネット通販が行われている。
【０００４】
従来インターネット販売により、第一類医薬品を販売するに際しては、以下の手順により上述した条件を満足した販売を行っている。図１１は第一類医薬品を販売する従来の商品販売システムにおける処理の一例を示すフローチャートである。
【０００５】
まず、購入者は購入者端末からインターネットを介して医薬品販売者の販売者サーバに接続する。すると、購入者端末には販売用のホームページの検索画面が表示でき、購入者は検索画面において商品を検索する（ステップＳ１）。
【０００６】
次に、購入者端末には、検索された１又は複数の商品を表示する検索結果画面が表示され、購入者はこの検索結果画面から購入する商品を選択する（ステップＳ２）。すると、購入者端末には商品詳細を説明する画面が表示される（ステップＳ３）。この画面から購入者が商品の購入するためカートに入れると、購入者端末には当該商品が購入対象としたカート画面が表示される（ステップＳ４）。
【０００７】
そして、購入前チェックシートが表示される（ステップＳ５）。購入前チェックシートには、購入者が過去の使用歴、副作用の有無、年齢、性別等の情報が入力される（ステップＳ５）。チェックシートについての回答がなされる（ステップＳ６）とこの回答について専門家による判定がなされ（ステップＳ７）、販売に問題がないとされた場合（ステップＳ７
の問題なし）、当該医薬品の使用上の注意事項が表示され（ステップＳ８）、注意事項について質問があるかが確認される（ステップＳ９）。
【０００８】
購入者が注意事項について質問がないと回答した場合（ステップＳ９の質問なし）には、購入手続に進む（ステップＳ１０）。この注意事項に対して質問がある場合（ステップＳ９の質問あり）場合は、メールやチャットにより質問に回答がなされる（ステップＳ１１）。購入手続では、支払情報、配送先情報、配送日時情報等が指定されて、購入手続は終了する。
【０００９】
特許文献１には、インターネットを利用して医薬品を販売するシステムについて記載がある。即ち、特許文献１に記載の医薬品販売システムは、インターネットに接続された事業所の構成員が利用する構成員端末、事業所によって設置及び管理運営される事業所サーバと、医薬品を販売する販売会社によって設置及び管理運営される販売者サーバとから構成され、事業所サーバは、構成員端末から送出された構成員識別データに基づいて構成員を認証し、認証された構成員に対して斡旋販売される医薬品の販売医薬品情報を送出し、その後、事業所サーバは、構成員端末から送出された注文情報を販売期間を限定して受付け、販売期間経過後、注文情報を包括し、販売者サーバに送出して医薬品を販売する。
【先行技術文献】
【特許文献】
【００１０】
【特許文献１】特開２００５-１００３２４号公報
【発明の概要】
【発明が解決しようとする課題】
【００１１】
しかし、従来の商品品販売システムにあっては、購入までの手順が購入者にとって煩雑であるという問題がある。購入までの手順を簡単なものとすれば、購入者にとっても販売者にとってもメリットがある。
【００１２】
本発明は上述した課題に鑑みてなされたものであり、商品の販売を簡単な手順で行うことができ、購入者の手間と販売者の処理負荷を軽減することができる商品品販売システムを提供することを目的とする。
【課題を解決するための手段】
【００１３】
前記課題を解決する請求項１に記載の発明は、通信ネットワークを介して販売者サーバに接続された購入者端末から前記販売者サーバにアクセスして所望の商品である第一類医薬品を指定して購入するに際して、前記販売者サーバが、前記購入者端末に、購入を希望する商品の購入をする前提として必要な購入者情報の入力欄を表示して入力させる処理、前記販売者サーバが前記購入者端末から前記入力欄に入力された前記購入者情報に基づいて販売の可否を判定する処理、前記販売者サーバが前記購入者端末に前記商品の使用上の注意事項を提示する処理、及び前記販売者サーバにおいて、前記使用上の注意事項を購入者が了解し、かつ前記購入者からの質問がないことを確認する処理、を実行したのち前記商品の購入手続を開始する商品販売システムにおいて、
前記販売者サーバが、前記購入者端末に前記購入者情報の前記入力欄と前記使用上の注意事項とを前記購入者端末でのスクロール操作により一度で表示できる一連の画面に表示する処理を行った後、前記販売者サーバにおいて前記購入者情報に基づいて販売の可否を判定する処理と、前記使用上の注意事項を前記購入者が了解しかつ前記購入者からの質問がないことを確認する処理と、前記質問があったとき前記質問に対してメール又はチャットにより前記購入者端末に対して回答する処理と、を行い、更に、前記販売者サーバは、前記購入者情報に基づいて指定された商品の販売の可否を判定した結果、前記商品の販売ができない場合、前記購入者情報の前記入力欄に購入ができない旨、及び専門家との相談が必要である旨のうち少なくとも一方の表示を行い、
更に、前記販売者サーバは、前記商品の選択から購入手続までの過程において、前記購入者端末が操作を中断し、その後処理を再開したとき、前記商品に関する購入手続がどの段階まで完了しているのかを表示すること、を特徴とする商品販売システムである
本発明によれば、販売者サーバは、購入者端末に購入者情報の入力欄と使用上の注意事項とを前記購入者端末でのスクロール操作により一度で表示できる一連の画面に表示させたのち、販売者サーバにおいて購入者情報に基づいて販売の可否を判定する処理と、使用上の注意事項を前記購入者が了解しかつ前記購入者からの質問がないことを確認する処理とを行う。
よって、購入者情報の入力欄の判定後に使用上の注意事項の表示をする手順に比べて処理数を少なくでき、購入者の手間と販売者の処理負荷を軽減することができる。
【００１４】
また、本発明によれば、販売者サーバは、前記質問があったとき前記質問に対してメール又はチャットにより前記購入者端末に対して回答するので、専門家が不在である場合でも対処ができる。
更に、第一類医薬品を、インターネット通信で販売するに際して、購入者の手間と販売者の処理負荷を軽減することができる。
【００１５】
更に、本発明によれば、購入者情報に基づいて販売の可否を判定した結果、販売ができない場合、購入者情報の入力欄に購入ができない旨や専門家との相談が必要である旨の表示を行う。
よって、早いタイミングで購入者に販売ができない旨や、相談が必要である旨を提示でき、購入者の手間を省くことができる。
【００１６】
そして、本発明によれば、購入者による操作が中断した場合であって処理を再開したとき、購入手続の状態を表示する。よって、購入者は自己の購入の状態を正確に把握することができる。
【００１７】
同じく請求項２に記載の発明は、前記販売者サーバは、商品の選択に際して検索で抽出された商品が複数あるとき、前記購入者端末に抽出された商品の価格を含む商品情報を比較可能な状態に表示すること、を特徴とする。
本発明によれば、記購入者からの質問を受付可能な手段を販売者サーバの受付可能状態に応じて決定し購入者からの受付が可能な手段を表示する。
よって、購入者は販売者サーバにおいて受付が可能な手段を容易に認識できる。
【００１８】
同じく請求項３に記載の発明は、前記販売者サーバは、前記販売者サーバは、商品の選択に際して検索で抽出された商品が複数あるとき、前記購入者端末に抽出された商品の価格を含む商品情報を比較可能な状態に表示すること、を特徴とする。
本発明によれば、商品の選択に際して検索で抽出された商品が複数あるとき、購入者端末には、抽出された商品の価格を含む商品情報を比較可能な状態に表示される。
よって、購入者端末では抽出された複数の商品を容易に比較できる。
【００１９】
同じく請求項４に記載の発明は、前記販売者サーバは、前記購入者情報の入力内容に基づいて前記購入者端末に表示する前記使用上の注意事項の表示項目を変更すること、を特徴とする。
本発明によれば、購入者端末には、購入者情報の入力内容に基づいて変更された項目の使用上の注意事項が表示される。
よって、購入者端末では使用上の注意事項のうち当該購入者には必要がない項目については表示されず、購入処理を迅速に行うことができる。
【発明の効果】
【００２０】
本発明に係る商品販売システムによれば、商品の販売を簡単な手順で行うことができ、購入者の手間と販売者の処理負荷を軽減することができる。
【００２１】
即ち、請求項１に記載の商品販売システムによれば、販売者サーバは、購入者端末に購入者情報の入力欄と使用上の注意事項とを一連の画面に表示させたのち、販売者サーバにおいて購入者情報に基づいて販売の可否を判定する処理と、使用上の注意事項を前記購入者が了解しかつ前記購入者からの質問がないことを確認する処理と、を行うので、購入者情報の入力欄の判定後に使用上の注意事項の表示をする手順に比べて処理数を少なくでき、購入者の手間と販売者の処理負荷を軽減することができる。
また、販売者サーバは、前記質問があったとき前記質問に対してメール又はチャットにより前記購入者端末に対して回答するので、専門家が不在である場合でも対処ができる。
【００２２】
また、請求項１に記載の商品販売システムによれば、第一類医薬品を商品として商品販売システムを適用することができ、第一類医薬品を、インターネット通信で販売するに際して、購入者の手間と販売者の処理負荷を軽減することができる。
【００２３】
また、請求項１に記載の商品販売システムによれば、購入者情報に基づいて販売の可否を判定した結果、販売ができない場合、購入者情報の入力欄に購入ができない旨や専門家との相談が必要である旨の表示を行うので、早いタイミングで購入者に販売ができない旨や、相談が必要である旨を提示でき、購入者の手間を省くことができる。
【００２４】
また、請求項１に記載の商品販売システムによれば、購入者による操作が中断した場合であって処理を再開したとき、購入手続の状態を表示するので、購入者は自己の購入の状態を正確に把握することができる。
【００２５】
また、請求項２に記載の商品販売システムによれば、購入者からの質問を受付可能な手段を販売者サーバの受付可能状態に応じて決定し購入者からの受付が可能な手段を表示するので、購入者は販売者サーバにおいて受付が可能な手段を容易に認識できる。
【００２６】
更に、請求項３に記載の商品販売システムによれば、商品の選択に際して検索で抽出された商品が複数あるとき、購入者端末には、抽出された商品の価格を含む商品情報を比較可能な状態に表示されるので、購入者端末では抽出された複数の商品を容易に比較できる。
【００２７】
そして、請求項４に記載の商品販売システムによれば、購入者端末には、購入者情報の入力内容に基づいて変更された項目の使用上の注意事項が表示されるので、購入者端末では使用上の注意事項のうち当該購入者には必要がない項目については表示されず、購入処理を迅速に行うことができる。
【図面の簡単な説明】
【００２８】
【図１】本発明の実施形態に係る商品販売システムの全体構成を示すブロック図である。
【図２】同商品販売システムの販売者サーバの構成を示すブロック図である。
【図３】同商品販売システムの動作例を示すフローチャートである。
【図４】同商品販売システムの動作手順を示すものであり、（ａ）は質問可能手段を提示する手順を示すフローチャート、（ｂ）はチェックシートの記載事項に基づいて使用上の注意事項を変更する処理を示すフローチャート、（ｃ）はステータスの保持処理を示すフローチャートである。
【図５】同商品販売システムにおける購入者端末のショッピングカート画面を示す図である。
【図６】同商品販売システムの購入者端末に連続して表示される購入前チェックシートと使用上の注意事項とを示す図である。
【図７】同商品販売システムにおける購入者端末の購入前チェックシートの表示例を示すものであり、（ａ）は入力画面を示す図、（ｂ）は一部を入力した状態で購入できない旨の表示がされた状態を示す図である。
【図８】同商品販売システムにおける購入前チェックシートの確認画面における質問可能手段の記載を示すものであり、（ａ）は専門家が即時対応可でありメールとチャットで質問できる状態を示す図、（ｂ）は専門家が即時対応不可でありメールで質問できる状態を示す図、（ｃ）は専門家への質問フォーム示す図である。
【図９】同商品販売システムにおける購入者端末の商品比較画面を示す図である。
【図１０】同商品販売システムにおける回答された購入者チェックシートに対応して変更された使用上の注意事項を示す図である。
【図１１】第一類医薬品を販売する従来の商品販売システムにおける処理の一例を示すフローチャートである。
【発明を実施するための形態】
【００２９】
本発明を実施するための形態に係る商品販売システムについて説明する。本実施形態では商品として第一類医薬品を販売するものを例として説明する。なお、本発明において販売する商品は第一類医薬品に限ることなく、同様の手順で販売される他の商品にも適用できる。
【００３０】
図１は本発明の実施形態に係る商品販売システムの全体構成を示すブロック図である。商品販売システム１０は、通信ネットワークであるインターネット２０により、複数の購入者端末３０を販売者サーバ４０に接続している。購入者端末３０は第一類医薬品を購入する個人が使用するものである。また、販売者サーバ４０は医薬品の販売業者７０が管理しており、販売者サーバ４０には、薬剤師等の専門家が回答を行うための専門家回答手段６０が接続されている。
【００３１】
購入者端末３０は、制御装置としてＣＰＵ(Central  Processing  Unit)、主記憶装置としてＲＡＭ（Random  Access  Memory）、ＲＯＭ（Read  Only  Memory）、補助記憶装置としてＨＤＤ（Hard  Disc  Drive）、ＳＳＤ（Solid  state  Drive）等を備えたパーソナルコンピュータ、スマートフォン、タブレット型端末等で構成される。購入者端末３０は制御装置でウェブブラウザ等のアプリケーションソフトを実行し、インターネット２０を経由して販売者サーバ４０にアクセスして商品販売システムの販売ページを表示し、操作する。
【００３２】
販売者サーバ４０は、制御装置としてＣＰＵ(Central  Processing  Unit)、主記憶装置としてＲＡＭ（Random  Access  Memory）、ＲＯＭ（Read  Only  Memory）、補助記憶装置としてＨＤＤ（Hard  Disc  Drive）、ＳＳＤ（Solid  state  Drive）等を備えたパーソナルコンピュータ、サーバ装置で構成されている。販売者サーバ４０の制御部でアプリケーションソフトウエアを実行することにより、後述する各部の機能を実現する。
【００３３】
また、専門家回答手段６０は同様の構成と、キーボード、マウス、ディスプレイを備えたパーソナルコンピュータで構成されている。専門家回答手段６０は専門家が操作することで、後述する各種の承認、メールやチャットにより販売者サーバ４０を介して購入者端末３０とのやりとりができる。専門家回答手段６０では、専門家が購入前チェックシートの記載、使用上の注意事項の確認の有無、質問の内容に応じて販売の可否を決定して販売者サーバ４０に伝える。
【００３４】
次に、販売者サーバ４０の構成について説明する。図２は同商品販売システムの販売者サーバの構成を示すブロック図である。販売者サーバ４０は商品データベース４１、商品検索手段４２、詳細表示データベース４３、インターネット接続手段４４、ショッピングカート表示手段４５、購入前チェックシート及び使用上の注意事項表示手段４６、回答質問受付手段４７、専門家接続インターフェース４８、商品比較表示手段４９、ステータス保持手段５０、及び制御部５１を備える。
【００３５】
商品データベース４１は、販売している商品、本例では第一類医薬品の基本データ、収納箱、錠剤形態等のデータを格納している。商品検索手段４２は、購入者端末３０から入力されたキーワードにマッチする商品を商品データベース４１から抽出して出力する。詳細表示データベース４３は、商品データベース４１が格納している商品についての詳細表示用データを格納している。インターネット接続手段４４は、販売者サーバ４０とインターネット２０とを接続する。ショッピングカート表示手段４５は購入者端末３０で購入された商品を集計してショッピングカート画面に表示する。
【００３６】
購入前チェックシート及び使用上の注意事項表示手段４６は、購入者端末３０に購入者情報である購入前チェックシートの入力欄と使用上の注意事項とを表示する一連の画面を生成する。回答質問受付手段４７は、購入者からの質問を受付可能な手段を販売者サーバ４０の受付可能状態に応じて決定し、受付可能な手段を購入者端末３０に表示させる。即ち、専門家回答手段６０における専門家の待機状態に応じて購入者からの質問を受付可能な手段が、メールだけであるか、メール及びチャットであるかを決定し、この状態を購入者端末３０に表示する。
【００３７】
専門家接続インターフェース４８は、販売者サーバ４０と専門家回答手段６０とを接続する。商品比較表示手段４９は、購入者端末３０から検索で抽出された商品が複数あるとき、購入者端末に抽出された商品の価格を含む商品情報を比較可能な状態に表示する。また、購入者端末３０が指定した任意の商品の比較画面を生成する。比較のためのデータは、商品データベース４１及び詳細表示データベース４３から取得する。
【００３８】
ステータス保持手段５０は、商品の選択から購入手続までの過程において、購入者端末３０が操作を中断し、その後処理を再開したとき、商品に関する購入手続がどの段階まで完了しているのかを表示する。本例では、ショッピングカート表示画面に購買ステータスを表示する。制御部５１は販売者サーバ４０の各処理部（４１〜５０）を所定の手順で動作させる。
【００３９】
次に商品販売システム１０の処理について説明する。図３は同商品販売システムの動作例を示すフローチャート、図４は同商品販売システムの動作手順を示すものであり、（ａ）は質問可能手段を提示する手順を示すフローチャート、（ｂ）はチェックシートの記載事項に基づいて使用上の注意事項を変更する処理を示すフローチャート、（ｃ）はステータスの保持処理を示すフローチャートである。また、図５は同商品販売システムにおける購入者端末のショッピングカート画面を示す図、図６は同商品販売システムの購入者端末に連続して表示される購入前チェックシートと使用上の注意事項とを示す図である。
【００４０】
まず、購入者は購入者端末３０からインターネットを介して医薬品販売者である販売業者７０が管理する販売者サーバ４０に接続する。購買者は、販売者サーバ４０が提供する販売ホームページにおいて購入を希望する商品を選択して購入手続を行う。通常、購入者端末３０から販売者サーバ４０にアクセスすると、購入者端末３０の表示画面には販売者サーバ４０が送出する販売ホームページの検索画面が表示される。これにより、購入者は購入者端末３０の検索画面において所望の商品を検索できる（ステップＳＡ１）。
【００４１】
検索が実行されると、購入者端末３０には、商品検索手段４２は商品データベース４１を検索し、抽出された１又は複数の商品を検索結果として購入者端末３０の表示画面に表示する。購入者は、この検索結果画面から購入する商品を選択する（ステップＳＡ２）。商品が選択されると、販売者サーバ４０の制御部５１は、詳細表示データベース４３から商品の詳細を抽出して、購入者端末３０の表示画面に商品詳細を説明する表示する（ステップＳＡ３）。この画面から購入者が商品の購入するため指定すると、ショッピングカート表示手段４５は、図５に示すように、購入者端末に当該商品が購入対象としたショッピングカート画面８１を表示する（ステップＳＡ４）。このショッピングカート画面８１には、商品を特定する情報と、商品の購買ステータス８２とが表示される。この例では、商品について、問診（購入前チェックシートと使用上の注意事項）に未返答であることを表示している。
【００４２】
そして、ショッピングカート画面８１において、「購入する」を選択すると、購入前チェックシート及び注意事項表示手段４６は、図６に示すように、購入者端末３０の表示画面８０に、購入前チェックシート８３と、使用上の注意事項８４とを一連に表示する（ステップＳＡ５）。購入者端末３０において、購入前チェックシート８３と注意事項８４とは画面をスクロールすることで一度に表示できる。これにより、購入前チェックシートと使用上の注意事項を、個別に表示をするのに比べて処理数を少なくでき、購入者の手間と販売者の処理負荷を軽減することができる。なお、購入者情報を確認した後に使用上の注意事項の提示を行わなくてはいけないと言う法的規制はない。
【００４３】
購入者は、購入者端末３０から購入前チェックシート８３に、購入者が過去の使用歴、副作用の有無、年齢、性別等の情報を入力し、購入前チェックシート８３の所定欄に使用上の注意事項を承諾した旨の確認をする。また、必要により質問事項を記入する（ステップＳＡ６）。販売者サーバ４０では、購入前チェックシート及び使用上の注意事項についての回答等がなされると、回答質問受付手段４７でこれを受付け、専門家接続インターフェース４８を介して専門家回答手段６０に送出する。専門家回答手段６０では、まず、購入前チェックシート８３の回答について専門家による判定がなされ（ステップＳＡ７）、この判断を前提として販売がなされる。
【００４４】
専門家回答手段６０において、販売に問題がないとされた場合（ステップＳＡ７の問題なし）の場合、さらに、専門家回答手段６０において、使用上の注意事項８４を了解して確認されたこと及び質問事項がないことを確認して（ステップＳＡ８の確認あり、質問なし）、購買手続に進む（ステップＳＡ９）。購入手続では、支払情報、配送先情報、配送日時情報等が指定されて、購入手続を開始する。
【００４５】
本実施形態に係る商品販売システム１０では、購入前チェックシート８３の確認により、専門家回答手段６０において問題ありとされた場合（ステップＳＡ７の問題あり）、購入前チェックシート８３に直ちに商品の購入ができない旨が表示される。図７は同商品販売システムにおける購入者端末の購入前チェックシートの表示例を示すものであり、（ａ）は入力画面を示す図、（ｂ）は一部を入力した状態で購入できない旨の表示がされた状態を示す図である。即ち、図７（ａ）に示すように回答前の購入前チェックシート８３は、図７（ｂ）に示すように、当該商品の使用ができない旨の表示８５がなされる（ステップＳＡ１０）。この例では、男性用の医薬品について女性が使用する、としたため、使用ができないとされた。これにより、早いタイミングで購入者に販売ができない旨や、相談が必要である旨を提示でき、購入者の手間を省くことができる。
【００４６】
この場合購入者は購入者端末３０から入力欄からのメール又はチャットで専門家に問い合わせることができる（ステップＳＡ１１）。この問い合わせについて専門家が対応してあらためて相談を行い（ステップＳＡ１２）、問題がなければ（ステップＳＡ１２の問題なし）、ステップＳＡ８に進み更に、購入手続に進む（ステップＳＡ９）。問い合わせや相談について、専門家が問題ありと判定したとき（ステップＳＡ１２の問題あり）商品は販売されず、検索画面（ステップＳＡ１）に戻る。
【００４７】
使用上の注意事項を提示して、質問事項があったとき（ステップＳ８の質問あり）、専門家が専門家回答手段６０から回答を行う（ステップＳＡ１３）。そして、チェックシート回答入力、使用上の注意事項確認、質問入力（ステップＳＡ６）に戻る。
【００４８】
ここで、購入者端末３０からの質問を行う手順について説明する。本実施形態に係る商品販売システム１０において、質問は問い合わせフォームに記載することにより後に回答されるメール、又はリアルタイムで対応できるチャットで対応する。図４（ａ）は質問可能手段を提示する手順を示すフローチャート、図８は同商品販売システムにおける購入前チェックシートの確認画面における質問可能手段の記載を示すものであり、（ａ）は専門家が即時対応可でありメールとチャットで質問できる状態を示す図、（ｂ）は専門家が即時対応不可でありメールで質問できる状態を示す図、（ｃ）は専門家への質問フォーム示す図である。
【００４９】
図４（ａ）に示すように、質問画面が表示された状態（ステップＳＢ１）で、専門家回答手段６０において、担当する専門家が在席しているかが判定される（ステップＳＢ２）。専門家回答手段６０で回答できる状態、即ち専門家がその場で対応できる場合（ステップＳＢのＹｅｓ）時はメール及びチャットで対応し（ステップＳＢ４）、専門家が不在のときには専門家が対応可能となったときメールで回答する（ステップＳＢ５）。本実施形態に係る商品販売システム１０では、購入者端末３０の表示画面８０において、図８に示すように、どの手段で対応が可能であるかを表示する（ステップＳＢ６）。
【００５０】
専門家が在席し、メール及びチャットの両方で対応できるときには、図８（ａ）に示すように、購入前チェックシートの確認画面８６において、その旨の表示８７を行う。一方、専門家が不在であり、メールで対応する場合には、図８（ｂ）に示すように、メールで問い合わせるための表示８９及びチャットができない旨９０が表示される。メールで問い合わせる旨の表示を選択すると、図８（ｃ）に示すように、問い合わせ画面９１に問い合わせ入力欄９２が表示される。これにより、購入者は、質問を受付可能な手段として、チャットが使用できるかどうかを容易に認識できる。これにより、購入者は販売者サーバにおいて受付が可能な手段を容易に認識できる。
【００５１】
また、本実施形態に係る商品販売システム１０では、検索した結果や選択した複数の商品を比較することができる。図９は同商品販売システムにおける購入者端末の商品比較画面を示す図である。図９に示すように、商品「解熱鎮痛薬Ａ」を検索した結果、２つの商品「解熱鎮痛薬Ａ」と「解熱鎮痛薬ＡＣ」とが抽出されたとする。この場合、商品比較表示手段４９により購入者端末３０の表示画面８０に商品比較画面９４が表示される。商品比較画面９４には、「解熱鎮痛薬Ａ」の説明欄９５と、「解熱鎮痛薬ＡＣ」の説明欄９６とが比較可能に表示される。これにより、購入者は、抽出された商品の価格を含む商品情報を比較可能となる。
よって、購入者端末では抽出された複数の商品を容易に比較できる。
【００５２】
更に、本実施形態に係る商品販売システム１０では、購入者情報である購入前チェックシートの入力内容に基づいて購入者端末に表示する使用上の注意事項の表示項目を変更する。この処理は、回答質問受付手段４７が取得した購入前チェックシートの回答結果に基づいて購入前チェックシート及び使用上の注意事項表示手段４６が行う。図４（ｂ）はチェックシートの記載事項に基づいて使用上の注意事項を変更する処理を示すフローチャート、図１０は同商品販売システムにおける回答された購入者チェックシートに対応して変更された使用上の注意事項を示す図である。
【００５３】
図４（ｂ）に示すように、購入前チェックシート８３に記入がなされる（ステップＳＣ１）と、販売者サーバ４０は、特定の項目に記載があるかを確認する（ステップＳＣ２）。図１０に示すように購入前チェックシート９７の特定の項目に特定の回答がなされている場合（ステップＳＣ２のＹｅｓ）、当該項目に関する使用上の注意事項を不要として使用上の注意事項９８の記載事項を変更して（ステップＳＣ３）表示する（ステップＳＣ４）。一方、特定の項目に特定の回答がされていない場合（ステップＳＣ２のＮｏ）、使用上の注意事項をそのままとして表示する（ステップＳＣ４）。
【００５４】
このような処理は、例えば購入前チェックシートで使用者が男性である場合、妊娠に関する注意事項を表示しない等する場合に発生する。これにより、購入者端末では使用上の注意事項のうち当該購入者には必要がない項目については表示されず、購入処理
【００５５】
更に、本実施形態に係る商品販売システム１０では、商品の選択から購入手続までの過程において、購入者端末が操作を中断し、その後処理を再開したとき、前記商品に関する購入手続がどの段階まで完了しているかのステータスを表示する。図４（ｃ）はステータスの保持処理を示すフローチャートである。
【００５６】
購入手続中に処理が中断されると（ステップＳＤ１のＹｅｓ）、ステータス保持手段５０に購入の処理状態が保存される（ステップＳＤ２）。そして、購入手続が再開されると（ステップＳＤ３のＹｅｓ）、ステータス保持手段５０から処理状態が読み出され、例えばショッピングカートの表示画面中にステータスが表示される。本例では、図５に示すように、ショッピングカート画面８１中に購買ステータス８２を表示している。この例では、購入前チェックシート及び使用上の注意事項を表示した段階での回答がない「問診等未返答状態」が表示され、購入手続をこの段階から再開できることがわかる。
【産業上の利用可能性】
【００５７】
本発明に係る商品販売システムは、商品の販売を簡単な手順で行うことができ、購入者の手間と販売者の処理負荷を軽減することができ、産業上の利用可能性を有する。
【符号の説明】
【００５８】
１０：商品販売システム
２０：インターネット
３０：購入者端末
４０：販売者サーバ
４１：商品データベース
４２：商品検索手段
４３：詳細表示データベース
４４：インターネット接続手段
４５：ショッピングカート表示手段
４６：注意事項表示手段
４７：回答質問受付手段
４８：専門家接続インターフェース
４９：商品比較表示手段
５０：ステータス保持手段
５１：制御部
６０：専門家回答手段
７０：販売業者